(57)【特許請求の範囲】
【請求項１】
ウエブ状ポリマー電解質膜の前面と背面に、連続的に、同時にか又は相前後して、電極層を、所望のパターンで、電気触媒を含有するインキを使用して印刷し、かつ前記電極層を印刷工程の直後に高めた温度で乾燥させる方法であって、その際印刷を、前面と背面との電極層のパターンを±０．２５ｍｍの前面と背面の合同精度のための許容差で互いに精確な位置決めを維持して行う方法において、膜が印刷工程の前に２〜２０質量％の含水率を有することを特徴とする方法。
【請求項２】
印刷のために連続的なステンシル、オフセット、グラビア、スクリーン又はパッド印刷法を使用する、請求項１記載の方法。
【請求項３】
ポリマー電解質膜を、プロトンを、カリウムイオン、ナトリウムイオン、アンモニウムイオン又はテトラブチルアンモニウムイオンに対して交換することにより得られる温度安定な形で使用する、請求項１又は２記載の方法。
【請求項４】
ポリマー電解質膜が酸形で存在しかつ印刷前にプロトンを、カリウムイオン、ナトリウムイオン、アンモニウムイオン又はテトラブチルアンモニウムイオンに対して交換することにより温度安定な形に変える、請求項１から３までのいずれか１項記載の方法。
【請求項５】
膜の含水率を水性浴内で２０〜９５℃の温度で処理することにより調整する、請求項１記載の方法。
【請求項６】
膜の含水率を相対湿度５０〜１００％を有する湿った雰囲気内で４０〜９０℃で処理することにより調整する、請求項１記載の方法。
【請求項７】
印刷した電極層の乾燥を６０〜１５０℃の温度で実施する、請求項１記載の方法。
【発明の詳細な説明】
【０００１】
【発明の属する技術分野】
本発明は、ウエブ状ポリマー電解質膜に電極層を所望のパターンで被着する方法及び膜／電極アセンブリの製造方法並びにポリマー電解質燃料電池（ＰＥＭＦＣ）のための膜／電極アセンブリに関する。
【０００２】
【従来の技術】
燃料電池は、燃料及び位置的に互いに分離して２つの電極で電流、熱及び水に変換する。燃料としては水素又は水素富有ガスを、酸化剤としては酸素又は空気を利用することができる。燃料電池におけるエネルギー変換過程は、特に高い効率で優れている。この理由から電動機と組み合わせた燃料電池は、従来の内燃機関に代わるものとして益々重要性を持って来た。
【０００３】
いわゆるポリマー電解質膜燃料電池は、そのコンパクトな構造、その出力密度並びにその高い効率に基づき自動車におけるエネルギー変換器として使用するために好適である。
【０００４】
ＰＥＭＦＣの中心構成素子は、いわゆる膜／電極アセンブリ（ＭＥＡ）である。このアセンブリは、両面に触媒活性層を備えたポリマー電解質膜からなる。これらの層の１つは、水素の酸化のためのアノードとしてかつ第２の層は酸素の還元のためのカソードとして構成されている。ガス状反応媒体（水素及び空気）を触媒活性層に沿って導きかつ同時に電気的接触を行うために、アノード層及びカソード層にいわゆるガス拡散体もしくはガス拡散構造が施されている。これは通常、電極への反応ガスの良好な接近及び電池電流の良好な導出を可能にする炭素繊維紙又は炭素不織布である。これらの膜／電極アセンブリから、単一ＰＥＭＦＣ又はＰＥＭＦＣスタックが構成される。
【０００５】
ポリマー電解質膜は、プロトン伝導性ポリマー材料からなる。これらの材料は、以下には短縮してイオノマーとも称する。スルホン酸基を有するテトラフルオルエチレン／フルオルビニルエーテルコポリマーを使用するのが好ましい。これらの材料は、例えばＥ．Ｉ．ｄｕ  Ｐｏｎｔから市販名“Ｎａｆｉｏｎ(R)”で販売されている。しかしながら、他の、特にフッ素不含のイオノマー材料、例えばスルホン化ポリエーテルケトン又はアリールケトン又はポリベンズイミダゾールも使用可能である。燃料電池で使用するためには、これらの膜は一般に１０〜２００μｍの厚さを有する。
【０００６】
アノード及びカソードは、それぞれの反応（水素の酸化もしくは酸素の還元）を触媒的に支援するいわゆる電気触媒（electrocatalyst）を含有する。触媒活性成分としては、好ましくは元素周期系の白金族の金属が使用される。多くの場合、触媒活性白金族金属が導電性担体材料上に高分散形で施されたいわゆる担体触媒が使用される。この場合、白金族触媒の平均微結晶大きさは約１〜１０ｎｍである。担体材料として、微細カーボンブラックが有利であることが立証された。
【０００７】
膜／電極アセンブリを製造するための多数の異なった製造方法が存在するが、この場合僅かな方法が工業的要求、即ち経済的コストのために多数の個数で連続的に製造するためには適するに過ぎない。
【０００８】
ドイツ国特許出願第１９５０９７４９号明細書には、電極材料、触媒材料及び固体電解質膜からなる複合体を連続的に製造する方法が記載され、該方法は、電極材料、及び固体電解質材料を含む触媒粉末から支持体上に触媒層を製造することよりなる。この触媒層を担体とは反対側の面上で固体電解質材料の軟化のために加熱しかつ加圧下に固体電解質膜にローリングにより被着させる。
【０００９】
この方法では、ポリマー電解質膜は全面的に被着される。燃料電池スタックの製造のためには無条件に必要であるような、電極の平面状パターンでの被着（以下には、選択的被着とも称される）は、極めて高い費用をもって実現されるに過ぎない。このために、膜上に相応して成形された、触媒材料とポリマー電解質膜との結合を阻止するセパレータを配置する。それに引き続き、スペーサを覆う支持体の領域を支持体の膜へのロール被着後にカッターで切り離すことができる。
【００１０】
さらに、この方法は膜内のいわゆるピンホールの形成の高い危険と結び付いている。それというのも、電極層のための材料は粉末形で使用されるからである。触媒材料内に粗い粉末粒子が存在すると、熱的に軟化された膜は高圧下での粉末の圧着の際に穿孔される。
【００１１】
国際公開第９７／５０１４２号パンフレットには、ポリマー電解質膜の電極で被着方法が記載され、この場合にはウエブ状のポリマー膜を白金塩溶液を有する浴内を通して引っ張る。引き続き、付着した塩をガス流内又は別の浴内で貴金属に還元する。この方法でも同様に、ポリマー電解質膜に全面的に被着することができるに過ぎない。強酸性金属塩溶液及び還元浴により、膜が損傷されることがある。
【００１２】
さらに、ドイツ国特許出願第１９５４８４２１号明細書には、膜／電極アセンブリの製造方法が記載され、この場合にはポリマー電解質膜、電極層及びガス拡散層の結合を連続的にローリング法により実施する。この場合には、ポリマー膜に全面的に電極層を被着する。
【００１３】
【発明が解決しようとする課題】
本発明の課題は、ウエブ状のポリマー電解質膜に電極層を所望のパターンで被覆する連続的かつ廉価な方法であって、しかも必要なパターンを簡単にかつ高い寸法安定性をもって形成することができる上記方法を提供することである。さらに、被着工程による膜内のピンホールの形成の危険を充分に回避することを目的とする。
【００１４】
【課題を解決するための手段】
前記課題は、本発明により、ウエブ状ポリマー電解質膜に電極層を所望のパターンで被着する方法において、膜の前面及び背面に連続的に所望のパターンで電極層を電気触媒を含有するインキを使用して印刷しかつ印刷した電極層を印刷工程の直後に高めた温度で乾燥させ、その際印刷を前面と背面との電極層のパターンを互いに精確な位置決めを維持して行うことにより解決される。
【００１５】
本発明による方法で使用するためには、例えば例えばロール製品として提供されるウエブ状のポリマー電解質膜から出発する。該方法は、種々のステーションを有するウエブ被着装置で実施する。最低の装備として、該装置は繰り出し装置、印刷ステーション、乾燥ステーション及び捲き取り装置並びにその都度の要求に応じて多数の転向及びガイドローラを有する。
【００１６】
ウエブ速度は比較的広い限界内で変動することができかつ上限は選択された印刷法の限界条件によってのみ制限される。印刷ステーションを出た後に、印刷されたばかりの電極層を有するポリマーウエブは乾燥ステーションを通過する。従って、電極層は、印刷工程の直後に高温で乾燥される。乾燥ステーションとしては、例えば連続式循環空気乾燥器を使用することができる。赤外線乾燥器も適当である。層の乾燥のために好ましい温度は、６０〜１５０℃である。乾燥ステーション内でのポリマー膜の滞留時間は、電極層の十分な乾燥を保証すべきである。該時間は、選択された温度に左右されかつ乾燥ステーション内での相応する転向により延長することができる。
【００１７】
印刷工程は、電気触媒を含有するインキで行う。このインキは、しばしばそのコンシステンシーに基づきペーストとも称される。これは例えば高沸点の溶剤の他に１種又は種々の電気触媒、プロトン伝導性イオノマー並びに場合により湿潤剤、孔形成剤又は類似のもののような助剤を含有する。このインキを製造するには、各成分を高い剪断力を用いて均質混合物に加工する。このことは溶剤内の電気触媒の良好な分散を保証する。本発明による方法のために好適なインキ及びペーストは、ドイツ国特許出願公開第１９６１１５１０（Ａ１）号明細書、ドイツ国特許出願第Ｐ１９８１０４８５．５号明細書（未公開のドイツ国特許出願）及びドイツ国特許出願第Ｐ１９８３７６６９．３号明細書（未公開のドイツ国特許出願）に記載されている。
【００１８】
膜の印刷のためには、例えば、ステンシル印刷、オフセット印刷、グラビア印刷、スクリーン印刷又はパッド印刷のような種々の印刷法を使用することができる。その都度使用される印刷法及び電極層の所望の層厚さに基づき、最適な結果を得るためには、インキのコンシステンシーを相応して適合させなければならない。このために必要な手段は、当業者に公知である。電極のための層厚さは、５〜１００、好ましくは５〜１５μｍの範囲内にある。必要な層厚さが１回の印刷工程で達成されない場合には、膜を数回印刷することができる。
【００１９】
使用される印刷法に依存して、ポリマー膜の両面を同時に又は相前後して印刷することができる。そのように、例えば膜の電極層での同時被着のためにはグラビア印刷法が適当であるが、一方膜の両面はスクリーン印刷層では好ましくは相前後して被着される。
【００２０】
前面及び背面の連続した被着は、最低の装備（印刷ステーション及び乾燥ステーション）を有するウエブ被着装置で、膜をまず片面だけ被着することにより実施することができる。その後、ポリマー膜を有するロールを捲き取り装置から取り出しかつひっくり返して繰り出し装置に挿入し、２回目の通過において膜の背面を印刷する。これに対して選択的に、ウエブ被着装置を第２の印刷ステーション及び第２の乾燥装置により延長し、ポリマー膜を１回だけの通過で両面に被着することができる。
【００２１】
この場合には、前面及び背面の電極層の印刷されたパターンが互いに位置的に精確に配置されるように留意すべきである。この場合、“精確な位置決め”の基準は、燃料電池スタックの引き続いてのアセンブリの要求度に基づき決まる。通常、±０．２５ｍｍの前面と背面の合同精度のための許容差が認容される。
【００２２】
要求される位置決め精度を維持する手段は、一面では印刷工業技術であり、従ってあらゆる印刷業者に周知である。他面では、前面印刷と背面印刷との位置決め精度は、別の手段で改良することができる。これには、膜のプロトンを１価の正に帯電したイオン、例えばカリウムイオン、ナトリウムイオン、アンモニウムイオン又はテトラブチルアンモニウムイオンに交換することにより得ることができる温度安定性の形でのポリマー電解質膜の使用が属する。高い安定性は、必要な乾燥処理による膜構造の損傷の危険を減少させ、ひいては良好なプロトン伝導性の維持を保証する。
【００２３】
ポリマー膜が酸性形で存在すると、これはウエブ被着装置内で温度安定な形に変えることができる。このためには、イオン交換浴をウエブ被着装置内の印刷ステーションの前方に設置する。該イオン交換浴は、その都度の要求に応じて希釈された水酸化テトラブチルアンモニウム溶液、苛性カリ溶液、苛性ソーダ溶液又はアンモニア溶液を有する。交換浴を出た後に、場合によりなを付着している液体を適当なストリッパで除去する。
【００２４】
前面印刷と背面印刷の位置決め精度をさらに改良するためには、膜の含水率を一定の限界で保つことができる。印刷工程中の膜の含水率の制御は、膜の収縮及び膨脹特性の調節を可能にし、ひいては前面と背面印刷の位置決め精度を高める。ペルフルオル化されたスルホン酸ベースのポリマー電解質膜の最大吸水能力は、約３０質量％の含水率である。本発明による方法のためには、２〜２０、特に１０〜２０質量％の含水率が有利であることが立証された。
【００２５】
より高い含水率は、電極層の亀裂形成及び低下せしめられた付着性と結び付いた膜の過度の膨脹をもたらす。
【００２６】
膜の含水率を調整するために、ソーキング浴をウエブ被着装置内の印刷ステーションの前方に組み込むことができる。ソーキング浴の温度は、２０〜９５℃の範囲内にあるべきである。ソーキング浴のｐＨ値は、ポリマー膜が如何なる形で存在するかによって決まる。酸性形のためには、ソーキング浴は１〜５の範囲内のｐＨ値を有しなければならい。イオン交換した温度安定性の形は、７〜９のｐＨ値でソーキングする。それに対して選択的に、膜の含水率を５０〜１００％の相対湿度を有する湿った雰囲気内でかつ４０〜９０℃で処理することにより調整する可能性も存在する。
【００２７】
まずウエブ被着装置内で温度安定性の形に変えられる酸性膜を使用すれば、この場合には同時にまた膜の一定の含水率の調整も行われる。
【００２８】
燃料電池で使用するためには、場合によりイオン交換したポリマー膜は再び酸性形に変換しなけらばならい。このことは一般に膜を濃硫酸中で処理することにより行われる。相応する浴を、ウエブ被着装置に組み込むことができる。この場合には、例えば、電極層及びガス拡散構造が１工程でポリマー膜に積層されるドイツ国特許出願第１９５０９７４９号明細書に記載された方法に比して本発明による方法の重要な利点が明らかになる。この方法は、膜を酸性の、温度安定性の低い形での使用を教示している。それというのも、一般的に疎水性のガス拡散構造を貫通させて硫酸で再プロトン化することは極めて困難であると見なされるからである。
【００２９】
本発明による方法によれば，全ての公知のポリマー膜に電解質層を被着することができる。スルホン酸基を有するテトラフルオルエチレン／フルオルビニルエーテルコポリマーからなる膜を使用するのが好ましい。
【００３０】
本発明による方法を、以下に図面を使用して詳細に説明する：
図１は、前面及び背面に被着したポリマー膜の構造を断面図で示す。図２は、膜／電極アセンブリの断面図を示す。参照数字１はそれぞれポリマー膜を示す。参照数字２はアノード層及び３はカソード層を示す。図２の膜／電極アセンブリは、付加的に両面に被着したアノードのためにガス拡散構造４及びカソードのためにガス拡散構造５を示す。
【００３１】
図３は、ポリマー膜１上の印刷した電極層２及び３の配置を示す。図３の電極は、ポリマー膜の幅に比較したその大きさのために、ｒの繰り返し距離を有する線状パターンでのみ配置されている。電極がより小さいか又はポリマー膜の幅がより大きければ、電極はもちろん二次元的パターンで膜に印刷することもできる。膜の前面及び背面に電極を印刷した後に、膜／電極アセンブルを切断線５に沿って切断することにより個別化する。
【００３２】
図４は、本発明による方法を実施するためのスクリーン印刷ステーションを有するウエブ被着装置の原理的構造を示す。１０はロール１４に貯えられたポリマー膜１６のために繰り出し装置を示す。ポリマー膜は印刷装置１７を有するスクリーン印刷ステーションを通過し、引き続き連続乾燥器１２を経て導かれ、その後捲き取り装置１３のロール１５に捲き取られる。
【００３３】
ポリマー膜の含水率の調整のために、ウエブ被着装置を図５に基づきソーキング浴１８を設置することにより拡大することができる。一定の含水率の調整のための必要なソーキング時間は、所定のウエブ速度でソーキング浴内のポリマー膜のための適当な転向ローラにより延長することができる。
【００３４】
ポリマー膜への触媒電極の被着は、図５に基づくウエブ被着装置内で以下のようにして行う：
ロール形１４で貯えられたウエブ状ポリマー膜を繰り出し装置１０に懸吊しかつ被着装置に供給する。ウエブ形で得られるあらゆるポリマー電解質膜を使用することができる。好ましくは、スルホン酸基を有するテトラフルオルエチレン／フルオルビニルエーテルコポリマーからなる膜を使用する。しかしながら、別の、特にフッ素不含のイオノマー材料、例えばスルホン化されたポリエーテルケトンもしくはアリールケトン又はポリベンズイミダゾールも使用可能である。
【００３５】
ロールの長さ及び幅は、広い限界内で変更可能である。実地の目的のためには、約０．２０〜１．５０ｍの幅で１００ｍまでの長さが有利であることが立証された。フッ素含有膜材料の例は、Ｎａｆｉｏｎ(R)  １１５， Ｎａｆｉｏｎ(R)１１２，Ｇｏｒｅ  ｓｅｌｅｃｔ(R)，Ｆｌｅｍｉｏｎ(R)である。例えばＮａｆｉｏｎ(R)  ４５０のような、裏地で補強された膜も使用することができる。
【００３６】
膜をその含水率を調整するためにソーキング浴１８を通して引っ張る。その際、浴内の滞留時間及び浴の温度は、膜が２〜２０質量％の含水率を吸収するように設定する。浴のｐＨ値は、存在する膜材料の化学的形次第である。プロトン化された形の膜（Ｈ+形）は、酸浴内で処理し（ｐＨ１〜５）、アルカリ性の形の膜は中性又はアルカリ性浴内で処理する。最適な含水率は、膜タイプ次第で異なりかつ被着の実施前に確認すべきである。
【００３７】
ソーキング浴の通過後に、表面に付着した液体をストリッパを用いて除去する。スクリーン印刷ステーション１１内で、まず膜の前面に電極層を所望のパターンで（選択的に）被着する。実際の印刷処理中に、ポリマー膜を保持し、印刷しかつ引き続き被着パターンの繰り返し距離だけさらに移動させる。この操作を、全部のポリマー膜が被着されるまで繰り返す。
【００３８】
印刷した電極を連続乾燥器１２を用いて乾燥する。その際、６０〜１５０℃の乾燥温度を選択する。溶剤を温和に被着物から除去する熱風乾燥器又は赤外線乾燥器を使用するのが好ましい。必要な乾燥時間は、ポリマー膜の走行速度により調節する。
【００３９】
乾燥に引き続いて、別の印刷操作を実施することができる。このためには、相応する印刷機を図４又は５の被着装置内に組み込むべきである。そうして例えば、まずアノード面、引き続きカソード面の被着を行うことができる。しかしまた、厚い又は段階の付いた層を達成するために片面を数回連続して被着することも可能である。
【００４０】
被着装置の通過後に、印刷したウエブ状膜をウエブ捲き取り機１３を用いて捲き取りかつさらなる加工（例えば別の被着、切断、ガス拡散構造の積層、包装等）に供給することができる。
【００４１】
図４又は５に基づく被着装置の場合には、被着を行った後に膜を再び繰り出し装置１０の前面に供給しかつ新たに被着する。背面の被着のために、ロールをまずひっくり返す。
【００４２】
アノード被着層を製造するためには、水素酸化のために適当である電気触媒、例えば大表面積を有するカーボンブラックに担持された白金又はその他の貴金属を含有するインキもしくはペーストを使用する。水素の一酸化炭素での汚染に対する抵抗性を高めるために、ここでルテニウム又はパラジウムのような別の貴金属を使用することができる。適当な触媒は、ドイツ国特許出願第１９７２１４３７号明細書及びドイツ国特許出願第１９７５６８８０号明細書に記載されている。
【００４３】
カソードを製造するためには、酸素の還元を触媒する電気触媒、特に白金又は白金と種々の遷移金属との適当な合金を使用する。このために適当な電気触媒は、ドイツ国特許出願公開第４４２６９７３（Ａ１）号明細書、ドイツ国特許出願公開第１９５１７５９８（Ａ１）号明細書及びドイツ国特許出願第Ｐ１９８４８０３２．６号明細書（なお未公開のドイツ国特許出願）に記載されている。
【００４４】
燃料電池スタックで使用するには、カソード側及びアノード側の記載の方法を用いて製造した膜／電極アセンブリ（ＭＥＡ）を、場合により再プロトン化後に、貼付（laying on）、接着又は積層によりガス拡散構造と組み合わせる。
【００４５】
記載した方法に対して選択的に、有利には、ポリマー膜の片面だけに印刷により電極層を設けることもできる。この場合には、これはカソード層か又はアノード層のいずれかであってよい。この片面に被着された膜からなる膜／電極アセンブリを製造するためには、場合により再プロトン化後に、被着した面で貼付、接着又は積層によりガス拡散構造と、かつ被着していない面で、印刷した電極層に対して精確に位置決めして、ガス拡散構造上に電極層を含有する触媒されるガス拡散電極と組み合わせる。
【００４６】
本発明に基づき製造されたＭＥＡは、高い電力密度と同時に低い貴金属配合量で優れている。典型的な値は、０．４ｍｇ／ｃｍ2の全白金配合量（アノード及びカソード配合量の和）で０．５Ｗ／ｃｍ2である。このことはＰｔ０．８ｇ／ｋＷの白金消費に相当する。この値は、該ＭＥＡｓの移動及び静止適用のためへの使用を可能にする。
【００４７】
【実施例】
以下に、実施例により本発明による方法を詳細に説明する。
【００４８】
膜／電極アセンブルを製造するために、以下の組成を有するドイツ国特許出願公開第１９６１１５１０（Ａ１）号明細書に記載のインキを使用した：
0004897990.tif 000002
例１：
タイプＮａｆｉｏｎ(R)  ＮＥ  １０３６５の長さ１０メートル及び幅０．３メートルのポリマー電解質フィルム製品を準備した。該膜の含水率は、２質量％であった。該膜は、Ｎａ+形であった。膜に図４に基づく被着装置で電解質層を印刷した。ポリマー電解質フィルムを、繰り出し装置及び搬送装置によりスクリーン印刷ステーションに供給した。スクリーン印刷ステーションで、フィルムに上記に特定したインキを使用して大きさ１４．９ｃｍ×２４．７ｃｍの相前後した電極層を印刷した。
【００４９】
被着装置を通過する膜の平均速度は、３００ｍ／ｈであった。個々の電極セグメントを、互いに６ｃｍの対向間隔で膜に印刷した。
【００５０】
印刷したばかりの電極層を乾燥するために、膜をスクリーン印刷ステーションを出た後に連続的に循環空気連続乾燥器内を通過させ、そこで印刷インキの溶剤成分を９０℃で除去しかつ電極層を固定させた。
【００５１】
連続乾燥器の後方で、片面に被着したポリマー電解質フィルムを捲き取り装置を用いて捲き取った。前記の操作を、Ｐｔ０．２ｍｇ／ｃｍ2の所望の配合量が達成されるまで繰り返した。
【００５２】
引き続き、ポリマー電解質フィルムの背面を被着することができるように、ロールをひっくり返した。背面の被着は、前面と背面の被着したセグメントが精確に位置決めされて向かい合うように、実施した（図３参照）。背面の被着も、 Ｐｔ０．２ｍｇ／ｃｍ2の所望の配合量が達成されるまで繰り返した。
【００５３】
例２
例１と同様な膜を用いて、別の被着実験を実施した。例１とは異なり、膜の含水率をそれぞれの被着の前に２０質量％に調整した。このために、図４の被着装置のスクリーン印刷ステーションの前方にソーキング浴を設置した（図５参照）。ソーキング浴の温度は、６０℃であった。
【００５４】
この相異点以外は、被着を例１に全く類似して実施した。
【００５５】
例３
この実施例は、例２に全く類似して実施した。例２とは異なり、タイプＮａｆｉｏｎ(R)  ＮＥ  １１２のポリマー膜を使用した。これは酸性Ｈ+形のポリマー膜であった。この膜の被着のために、上記に記載した組成に類似したインキを使用したが、但しこの場合には水酸化テトラブチルアンモニウムを除いた。電極層の乾燥は、７０℃で行った。
【００５６】
膜／電極アセンブリの試験
記載した３種類の膜から、それぞれ１つのセグメントを切り取りかつ０．５Ｍ硫酸中で１時間処理することにより再プロトン化した。引き続き、それぞれ被着面の大きさ９ｃｍ×９ｃｍの試験片を切り取り、ガス拡散構造と組み合わせ、かつ５０ｃｍ2の活性面積を有するＰＥＭ試験電池に組み込んだ。電池の試験は、３バールのガス圧力で水素／空気動作で行った。電池温度は７５℃であった。ガス流は、８５℃（アノード）及び６０℃（カソード）で加湿した。ガス化学量論比は、水素に関して１．５及び空気に関して２．０であった。
【００５７】
測定結果は、表１に示されている：
【００５８】
【表１】
0004897990.tif 000003
【００５９】
上記測定結果は、記載の被着方法は、膜／電極アセンブリを大量生産で廉価にかつ個別製造したものに匹敵する性能データで製造するために、極めて好適であることを示す。
【図面の簡単な説明】
【図１】電極層を両面に被着したポリマー電解質膜の断面図である。
【図２】膜／電極アセンブリの断面図である。
【図３】前面及び背面に電極層を被着したポリマー膜の断面図及び平面図である。
【図４】本発明による方法を実施するためのスクリーン印刷ステーションを有するウエブ被着装置の原理的構造を示す図である。
【図５】ソーキング浴を組み込んだ図４のウエブ被着装置を示す図である。
【符号の説明】
１  ポリマー膜、  ２  アノード層、  ３  カソード層、  ４  アノードのためのガス拡散構造、  ５  カソードのためのガス拡散構造、  １０  繰り出し装置、  １１  スクリーン印刷ステーション、  １２  連続乾燥器、  １３  捲き取り装置、  １４  ロール、  １５  ロール、  １６  ポリマー膜、  １７  印刷装置、  １８  ソーキング浴
【図１】
0004897990.tif 000004
【図２】
0004897990.tif 000005
【図３】
0004897990.tif 000006
【図４】
0004897990.tif 000007
【図５】
0004897990.tif 000008